(57)【要約】【課題】  書見台に載置された楽譜のページが勝手にめくれてしまうのを防止しつつ、その楽譜のページを簡単にめくることが可能なストッパを提供する。【解決手段】  ストッパ１は、楽譜を載置するための載置部Ｓ１と、載置部Ｓ１に載置された楽譜を立て掛けるための立掛部Ｓ２とを有するピアノの譜面台Ｓに対して着脱自在に設けられており、載置部Ｓ１を挟持するクリップ１０と、クリップ１０に立設されたコイルバネ２１と、コイルバネ２１の先端に取り付けられ、載置部Ｓ１に載置された楽譜に当接してその楽譜を押さえる押さえ部材２２とを備える。以上のようなストッパ１では、載置部Ｓ１に載置された楽譜を演奏者がめくると、コイルバネ２１が倒れ込んで楽譜の引っ掛かりを解除し、演奏者が楽譜をめくり終えると、倒れ込んだ状態のコイルバネ２１が、自己の弾性力により初期位置まで復帰して再び楽譜に引っ掛かるようにされている。【選択図】  図１
2007256454.tif 000002
【特許請求の範囲】
【請求項１】
楽譜を載置するための長尺状の載置部と、該載置部に載置された楽譜を立て掛けるための立掛部と、を有する書見台に対して取り付けられ、前記楽譜のページがめくれてしまうのを防止するストッパであって、
当該ストッパを前記載置部の前記立掛部とは反対側の端部に取り付けるための取付部材と、
該取付部材に立設され、前記載置部に載置された楽譜のページ面に当接して該楽譜のページがめくれてしまうのを防止する捲防止部材と、を備え、
該捲防止部材は、弾性変形可能な部材にて構成されていることを特徴とするストッパ。
【請求項２】
前記取付部材は、前記載置部の立掛部とは反対側の端部を、前記載置面側とその反対側とから挟持するクリップを有することを特徴とする請求項１に記載のストッパ。
【請求項３】
更に、前記取付部材は、前記クリップの前記載置面とは反対側の挟持部から前記立掛部側に延設された板状部材を備えることを特徴とする請求項２に記載のストッパ。
【請求項４】
前記捲防止部材は、
一端が前記取付部材に取り付けられたコイルバネと、
該コイルバネの前記取付部材とは反対側の端部に取り付けられ、前記載置部に載置された楽譜のページに当接して該楽譜を押さえる押さえ部材と、
から構成されていることを特徴とする請求項１ないし請求項３の何れか１項に記載のストッパ。
【発明の詳細な説明】
【技術分野】
【０００１】
本発明は、書見台に載置された楽譜のページが勝手にめくれてしまうのを防止するストッパに関する。
【背景技術】
【０００２】
従来より、ピアノやオルガン等の鍵盤楽器には、楽譜を載置するための長尺状の載置部と、その載置部に載置された楽譜を立て掛けるための立掛部と、を有する譜面台が設けられており、その譜面台には、当該譜面台に載置された楽譜が勝手にめくれてしまうのを防止するストッパが取り付けられる。
【０００３】
そして、この種のストッパとしては、当該ストッパを載置部の立掛部とは反対側の端部に取り付けるための取付部材と、取付部材に立設され、載置部に載置された楽譜に当接してその楽譜がめくれてしまうのを防止する捲防止部材と、を備えたものが知られている（例えば、特許文献１参照）。
【０００４】
このようなストッパによれば、載置部に載置された楽譜が捲防止部材に引っ掛かるため、その楽譜が勝手にめくれてしまうのを防止することができる。
【特許文献１】特開２００５−１８９７３４号公報
【発明の開示】
【発明が解決しようとする課題】
【０００５】
ところで、従来のストッパにおいては、譜面台に載置された楽譜が勝手にめくれてしまうのを防止することはできるものの、演奏者が楽譜をめくる際には、その楽譜の捲防止部材に引っ掛かった部分を、いちいち外さなければならない。
【０００６】
本発明は、こうした問題を解決するためになされたものであり、書見台に載置された楽譜のページが勝手にめくれてしまうのを防止しつつ、その楽譜のページを簡単にめくることが可能なストッパを提供することを目的としている。
【課題を解決するための手段】
【０００７】
上記目的を達成するためになされた請求項１に記載の発明は、楽譜を載置するための長尺状の載置部と、載置部に載置された楽譜を立て掛けるための立掛部と、を有する書見台に対して取り付けられ、楽譜のページがめくれてしまうのを防止するストッパであって、当該ストッパを載置部の立掛部とは反対側の端部に取り付けるための取付部材と、取付部材に立設され、載置部に載置された楽譜のページ面に当接してその楽譜のページがめくれてしまうのを防止する捲防止部材と、を備え、捲防止部材は、弾性変形可能な部材にて構成されていることを特徴としている。
【０００８】
このような請求項１に記載のストッパによれば、載置部に載置された楽譜のページ（詳しくは、捲防止部材に当接した楽譜のページ）を読者がめくり始めると、捲防止部材が倒れ込むことによりページの引っ掛かりが解除されるので、読者は、載置部に載置された楽譜のページを簡単にめくることができる。
【０００９】
また、読者が楽譜のページをめくり終えると、倒れ込んだ状態の捲防止部材が、自己の弾性力により初期位置まで復帰し、再び楽譜のページに引っ掛かるので（詳しくは、読者がめくった次のページ面に当接するので）、そのページが勝手にめくれてしまうのを防止することができる。
【００１０】
よって、請求項１に記載のストッパによれば、載置部に載置された楽譜のページが勝手にめくれてしまうのを防止することができ、読者は載置部に載置された楽譜のページを簡単にめくることができる。
【００１１】
ところで、取付部材は、例えばネジ等で締め付けることで載置部に取り付けるようにされていてもよいが、請求項２に記載のように構成されていてもよい。
即ち、請求項２に記載のストッパは、請求項１に記載のストッパにおいて、取付部材は、載置部の立掛部とは反対側の端部を、載置面側とその反対側とから挟持するクリップを有するようにされている。
【００１２】
このような請求項２に記載のストッパによれば、読者は、クリップを載置部に挟むだけで、ストッパを簡単に取り付けることができると共に、載置部に載置される楽譜の大きさに応じて、当該ストッパの取付位置を簡単に変更することができる。
【００１３】
次に、請求項３に記載のストッパは、請求項２に記載のストッパにおいて、更に、取付部材は、クリップの載置面とは反対側の挟持部から立掛部側に延設された板状部材を備えることを特徴としている。
【００１４】
このような請求項３に記載のストッパによれば、板状部材が、立掛部側に向かって延びているので、取付部材が載置部から簡単に外れてしまうのを防止することができる。
ところで、捲防止部材は、板バネにて構成されていてもよいし、ゴム等の合成樹脂や一部分が弾性体の部材にて構成されていてもよいが、請求項４に記載のように、一端が取付部材に取り付けられたコイルバネと、コイルバネの取付部材とは反対側の端部に取り付けられ、載置部に載置された楽譜のページに当接してその楽譜を押さえる押さえ部材と、から構成されていてもよい。
【００１５】
このようにすれば、捲防止部材の長さや弾性力等の設計を簡単にすることができ、また、押さえ部材がコイルバネの取付部材とは反対側の端部に取り付けられているので、載置部に載置された楽譜のページを読者がめくる際に、そのページがコイルバネの先端に引っ掛かって破れてしまうことを防止することができる。
【発明を実施するための最良の形態】
【００１６】
以下に、本発明が適用された実施形態のストッパについて、図面を用いて説明する。
まず図１は、第１実施形態のストッパ１が譜面台Ｓに取り付けられた状態を表す説明図であり、図２は、同実施形態のストッパ１の斜視図であり、図３は、同実施形態のストッパ１及び譜面台Ｓの断面図である。
【００１７】
第１実施形態のストッパ１は、図１に示すように、楽譜を載置するための長尺状の載置部Ｓ１と、載置部Ｓ１に載置された楽譜を立て掛けるための立掛部Ｓ２とを有するピアノの譜面台Ｓに対して着脱自在に設けられており、図２及び図３に示すように、載置部Ｓ１を挟持するクリップ１０と、クリップ１０に立設され、載置部Ｓ１に載置された楽譜に当接してその楽譜が勝手にめくれてしまうのを防止する捲防止部材２０と、を備えている。
【００１８】
クリップ１０は、載置部Ｓ１の立掛部Ｓ２とは反対側の端部（即ち、演奏者側の端部）を挟持する一対の挟持部１２ａ、及び、挟持部１２ａと連動する一対の摘み部１２ｂを有する本体１２と、本体１２に対して、挟持部１２ａが閉じる方向（摘み部１２ｂが開く方向）に力を与える略コの字状のバネ１４とからなる。
【００１９】
クリップ１０において、一方の挟持部１２ａには、捲防止部材２０（詳しくは、後述のコイルバネ２１）の一端が取り付けられており、他方の挟持部１２ａ側には、当該クリップ１０から立掛部Ｓ２側に向かって延びる板状部材１６が取り付けられている。
【００２０】
一方、捲防止部材２０は、一端が挟持部１２ａに取り付けられたコイルバネ２１と、コイルバネ２１のクリップ１０とは反対側の端部に取り付けられ、載置部Ｓ１に載置された楽譜に当接してその楽譜を押さえる押さえ部材２２と、から構成されている。
【００２１】
コイルバネ２１は、全長（高さ）が例えば約３ｃｍであり、ストッパ１が譜面台Ｓに取り付けられた際に、載置部Ｓ１の載置面に対して略垂直となるようにされている。
押さえ部材２２は、例えば合成樹脂や金属からなり、コイルバネ２１の先端（クリップ１０とは反対側の端部）を覆うように設けられている。
【００２２】
次に、上述した構成のストッパ１を譜面台Ｓに取り付ける作業について説明する。
まず摘み部１２ｂ（詳しくは、図３における上側の摘み部１２ｂと板状部材１６）を摘む。そして、その状態を維持しつつ、挟持部１２ａを載置部Ｓ１の演奏者側の端部に当接させ、摘み部１２ｂを離す。
【００２３】
すると、バネ１４の付勢力により挟持部１２ａが載置部Ｓ１を挟持する。
これにより、ストッパ１が譜面台Ｓに取り付けられた状態となる。
以上説明したような本実施形態のストッパ１によれば、載置部Ｓ１に載置された楽譜（詳しくは、コイルバネ２１若しくは押さえ部材２２に当接した楽譜）を演奏者がめくり始めると、コイルバネ２１が倒れ込んで楽譜の引っ掛かりが解除される。
【００２４】
このため、演奏者は、載置部Ｓ１に載置された楽譜を簡単にめくることができる。
また、演奏者が楽譜をめくり終えると、倒れ込んだ状態のコイルバネ２１が、自己の弾性力により初期位置まで復帰して再び楽譜に引っ掛かるので、楽譜が勝手にめくれてしまうのを防止することができる。
【００２５】
よって、本実施形態のストッパ１によれば、載置部Ｓ１に載置された楽譜が勝手にめくれてしまうのを防止することができ、演奏者は載置部Ｓ１に載置された楽譜を簡単にめくることができる。
【００２６】
また、第１実施形態のストッパ１によれば、押さえ部材２２がコイルバネ２１の先端に取り付けられているので、載置部Ｓ１に載置された楽譜を演奏者がめくる際に、その楽譜がコイルバネ２１の先端に引っ掛かって破れてしまうことを防止することができる。
【００２７】
また、第１実施形態のストッパ１によれば、演奏者は、クリップ１０を載置部Ｓ１に挟むだけで、ストッパ１を簡単に取り付けることができると共に、載置部Ｓ１に載置される楽譜の大きさに応じて、ストッパ１の取付位置を簡単に変更することができる。
【００２８】
また、第１実施形態のストッパ１によれば、立掛部Ｓ２側に延びた板状部材１６がクリップ１０に取り付けられているので、ストッパ１が譜面台Ｓから簡単に外れてしまうのを防止することができる。
【００２９】
なお、本第１実施形態では、クリップ１０及び板状部材１６が取付部材に相当している。
次に、第２実施形態のストッパ２について、図４及び図５を用いて説明する。なお、図４は第２実施形態のストッパ２の斜視図であり、図５は同実施形態のストッパ２及び譜面台Ｓの断面図である。また、図４及び図５において、第１実施形態のストッパ１と同様の構成要素については、同じ符号を付しているため、詳細な説明は省略する。また、このことは、後述する図６及び図７についても同様である。
【００３０】
第２実施形態のストッパ２は、第１実施形態のストッパ１と比較すると、クリップ１０及び板状部材１６に代えて、クリップ３０を備えている点が異なっている。
具体的に説明すると、クリップ３０は、合成樹脂等の弾性変形可能な材質からなり、図４及び図５に示すように、略Ｕ字状に形成されており、コイルバネ２１が取り付けられている方の挟持部３０ａとは反対側の挟持部３０ｂが、挟持部３０ａよりも立掛部Ｓ１側に向かって延びた形状をしている。
【００３１】
以上のような第２実施形態のストッパ２によっても、第１実施形態で述べた効果と同様の効果を得ることができる。
なお、第２実施形態では、クリップ３０が取付部材に相当し、挟持部３０ｂが板状部材に相当している。
【００３２】
次に、第３実施形態のストッパ３について、図６及び図７を用いて説明する。なお、図６は第３実施形態のストッパ３の斜視図であり、図７は同実施形態のストッパ３及び譜面台Ｓの断面図である。
【００３３】
第３実施形態のストッパ３は、第１実施形態のストッパ１と比較すると、クリップ１０に代えて、クリップ４０を備えた点と、コイルバネ２１が板状部材１６に取り付けられている点と、が主に異なっている。
【００３４】
具体的に説明すると、クリップ４０は、合成樹脂等の弾性変形可能な材質からなり、図６及び図７に示すように、略Ｕ字状に形成されており、一方の挟持部４０ａが板状部材１６の略中央部分に取り付けられている。
【００３５】
コイルバネ２１は、板状部材１６のクリップ４０よりも演奏者側に取り付けられており、板状部材１６のクリップ４０よりも立掛部Ｓ１側には、載置部Ｓ１への着脱時に載置部Ｓ１に傷がつくのを防止するための保護部材４２（例えば、フェルト）が取り付けられている。
【００３６】
以上のような第３実施形態のストッパ３によっても、第１実施形態で述べた効果と同様の効果を得ることができる。
なお、第３実施形態では、クリップ４０及び板状部材１６が取付部材に相当している。
【００３７】
以上、本発明の実施形態について説明したが、本発明は、種々の形態を採り得ることは言うまでもない。
例えば、挟持部１２ａに、第３実施形態と同様のフェルト等からなる保護部材を取り付けるようにすると良い。
【００３８】
このようにすれば、ストッパ１を譜面台Ｓに着脱する際に、載置部Ｓ１に傷がついてしまうのを防止することができる。
また、同様に、第１，第２実施形態においても、保護部材４２（例えば、スキンやフェルト）を取り付けるようにしてもよい。
【００３９】
ところで、上記実施形態では、ピアノに取り付けられた譜面台Ｓを例に挙げて説明したが、これに限らず、本発明のストッパが取り付けられる書見台としては、楽譜を載置するものであれば何でもよく、例えば、電子ピアノやオルガン等の鍵盤楽器に取り付けられた譜面台や、指揮者用の譜面台でもよい。
【００４０】
また、捲防止部材２０としては、弾性変形可能に構成されていれば何でもよく、例えば、コイルバネ２１に代えて板バネを用いてもよい。
また、第１実施形態のストッパ１では、板状部材１６が設けられていたが、板状部材１６は設けられていなくてもよい。
【００４１】
このようにしても、載置部Ｓ１に載置された楽譜が勝手にめくれてしまうのを防止することができると共に、演奏者は、その楽譜を簡単にめくることができる。
【図面の簡単な説明】
【００４２】
【図１】第１実施形態のストッパが譜面台に取り付けられた状態を表す説明図である。
【図２】第１実施形態のストッパの斜視図である。
【図３】第１実施形態のストッパ及び譜面台の断面図である。
【図４】第２実施形態のストッパの斜視図である。
【図５】第２実施形態のストッパ及び譜面台の断面図である。
【図６】第３実施形態のストッパの斜視図である。
【図７】第３実施形態のストッパ及び譜面台の断面図である。
【符号の説明】
【００４３】
１，２，３…ストッパ、１０，３０，４０…クリップ、１２…本体、１２ａ…挟持部、１２ｂ…摘み部、１４…バネ、１６…板状部材、２０…捲防止部材、２１…コイルバネ、２２…押さえ部材、３０ａ，３０ｂ…挟持部、４０ａ…挟持部、４２…保護部材、Ｓ…譜面台、Ｓ１…載置部、Ｓ２…立掛部。
【図１】
2007256454.tif 000003
【図２】
2007256454.tif 000004
【図４】
2007256454.tif 000005
【図６】
2007256454.tif 000006
【図３】
2007256454.tif 000007
【図５】
2007256454.tif 000008
【図７】
2007256454.tif 000009